(57)【要約】      （修正有）【課題】取手と錠を備え、戸先框の見付幅を細く形成できる建具を提供する。【解決手段】障子１と、縦枠２を備え、障子の戸先框１１に取手を設けてあり、縦枠に障子の移動を規制する錠４の操作部５を設けてあり、操作部は、上下動し下側位置で錠を解錠するものであり、障子側に向けて、取手の室内側に近接しており、さらに、少なくとも解錠時に、操作部に指を載せた状態で、取手に他の指が掛かる構成とした。【選択図】図１
2018204275.tif 000002
【特許請求の範囲】
【請求項１】
障子と、縦枠を備え、障子の戸先側部に取手を設けてあり、縦枠に障子の移動を規制する錠の操作部を設けてあり、操作部は、上下動し下側位置で錠を解錠するものであって、障子側に向けて、取手の室内側に近接していることを特徴とする建具。
【請求項２】
障子と、縦枠を備え、障子の戸先側部に取手を設けてあり、縦枠に障子の移動を規制する錠の操作部を設けてあり、操作部は、上下動し下側位置で錠を解錠するものであって、少なくとも解錠時に、操作部に指を載せた状態で、取手に他の指が掛かるものであることを特徴とする建具。
【発明の詳細な説明】
【技術分野】
【０００１】
本発明は、取手と錠を備える建具に関する。
【背景技術】
【０００２】
従来、玄関引戸などにおいて、障子を施錠するための錠を備える場合、非特許文献１及び図４に示すように、障子１０１の戸先框１１１に錠の操作部１０５を設けてある。この操作部１０５を上下動させることにより、障子１０１の戸先からデッドボルトが突没して縦枠１０２に設けた受部に係脱し、施解錠するものである。
【先行技術文献】
【非特許文献】
【０００３】
【非特許文献１】「玄関引戸総合カタログ（ＳＴＪ１２４８Ａ）」、三協立山株式会社、２０１６年５月、ｐ．２２４
【発明の概要】
【発明が解決しようとする課題】
【０００４】
しかしながら、このように障子１０１の戸先框１１１に錠の操作部１０５を設けるには、戸先框１１１の見付幅を太くしなければならなかった。これに対し、意匠上の観点から、戸先框の見付幅を細くすることが求められていた。
【０００５】
本発明は、上記事情を鑑みたものであり、取手と錠を備え、戸先框の見付幅を細く形成できる建具を提供することを目的とする。
【課題を解決するための手段】
【０００６】
本発明のうち請求項１の発明は、障子と、縦枠を備え、障子の戸先側部に取手を設けてあり、縦枠に障子の移動を規制する錠の操作部を設けてあり、操作部は、上下動し下側位置で錠を解錠するものであって、障子側に向けて、取手の室内側に近接していることを特徴とする。
【０００７】
本発明のうち請求項２の発明は、障子と、縦枠を備え、障子の戸先側部に取手を設けてあり、縦枠に障子の移動を規制する錠の操作部を設けてあり、操作部は、上下動し下側位置で錠を解錠するものであって、少なくとも解錠時に、操作部に指を載せた状態で、取手に他の指が掛かるものであることを特徴とする。
【発明の効果】
【０００８】
本発明のうち請求項１の発明によれば、錠の操作部を障子ではなく縦枠に設けてあるので、障子には取手のみを設ければよく、戸先框がある場合にはその見付幅を細くすることができる。そして、錠の操作部が、障子側に向けて、取手の室内側に近接しているので、障子を開く際、片手での操作、すなわち一方の手で錠の操作部を下げて解錠し、そのまま同じ手を取手に掛けて障子を開く場合と、両手での操作、すなわち一方の手で錠の操作部を下げて解錠し、他方の手を取手に掛けて障子を開く場合の、何れの操作も容易である。
【０００９】
本発明のうち請求項２の発明によれば、錠の操作部を障子ではなく縦枠に設けてあるので、障子には取手のみを設ければよく、戸先框がある場合にはその見付幅を細くすることができる。そして、少なくとも解錠時に、操作部に指を載せた状態で、取手に他の指が掛かるものなので、障子を開く際、片手での操作、すなわち一方の手で錠の操作部を下げて解錠し、そのまま同じ手を取手に掛けて障子を開く操作が容易である。
【図面の簡単な説明】
【００１０】
【図１】本発明の建具の取手及び錠部分の拡大図であり、（ａ）は室内側正面図、（ｂ）は操作部の側面図である。
【図２】建具の室内側正面図である。
【図３】（ａ）〜（ｃ）は、障子の開操作の説明図である。
【図４】従来の建具の正面図である。
【発明を実施するための形態】
【００１１】
以下、本発明の実施の形態を図面に基づいて説明する。この建具は、種々の構成のものを含み、種々の用途に用いられるものであるが、ここでは玄関引戸の場合を例に挙げる。なお、以下において左右とは、図２に示すように、玄関引戸を室内側から見た際の左右方向を示す。図２は、この玄関引戸の室内側正面図であり、左右の縦枠２と、上枠６及び下枠７を四周枠組みした内周側に、二枚の障子１を引き違いに納めてある。障子１は、戸先框１１と、召合框１２と、上框１３と、下框１４を四周框組みした内周側にパネル体１５を嵌め込んで構成したものである。なお、戸先框１１の見付幅は、後述の取手３の見付幅よりも僅かに広いものとなっている。そして、右側の障子１の戸先框１１の室内側面の上下方向中間部に、取手３を設けてある。また、右側の縦枠２の、取手３と略同じ高さ位置に、縦枠２と右側の障子１を施解錠して障子１の移動を規制する錠４を設けてあり、縦枠２の室内側面の上下方向中間部の、取手３と略同じ高さ位置に、錠４の操作部５を設けてある。さらに、二枚の障子１の召合框１２の、取手３と略同じ高さ位置に、左右の障子１同士を施解錠して障子１の移動を規制する召合錠８を設けてあり、右側の障子１の召合框１２の室内側面に、召合錠８の操作部８１を設けてある。
【００１２】
次に、取手３と縦枠２の錠４及び操作部５について詳述する。図１に示すように、取手３は、正面視して矩形の凹部３１を有するものであり、平板に凹部３１を形成したものを、凹部３１を障子１の戸先框１１の室内側面に形成した穴に嵌め込んで取り付けてある。よって、取手３の凹部３１は障子１の戸先框１１の室内側面に対して凹んだものとなり、取手３の凹部３１に手指を掛けて、障子１を左右に摺動して開閉できる。
【００１３】
そして、縦枠２には、障子１を施解錠するための錠４と、この錠４の操作部５を有する操作体５２を設けてある。錠４は、いわゆる鎌錠であって、縦枠２の内部に設けてあり、鎌形のデッドボルト４１が縦枠２の戸当面から回転しながら突没するものである。障子１を閉鎖した状態で、錠４のデッドボルト４１を突出させることで、デッドボルト４１が障子１の戸先側面の受部（図示省略）に係合し、施錠される。また、操作体５２は、縦枠２の室内側面に設けた上下に延びる角棒状の基部５１と、基部５１の上下方向中心から室内側に向けて突出しかつ左側（障子１側）に向けて延びる角棒状の操作部５からなる。基部５１と操作部５は一体に形成されていて上下動可能であり、上下のどの位置にあっても、操作部５は常に取手３の凹部３１の上下幅内に納まっていて、操作部５は、障子１側に向けて、取手３の室内側に近接している。具体的には、操作部５の左側（障子１側）の端部から、取手３の凹部３１の左側の見込面（障子１を左側へ摺動させる際に指が掛かる面）までの距離（図１のＤ）が、４５ｍｍである。また、基部５１と操作部５からなる操作体５２を下側位置にしたときに、操作部５（操作体５２）の上下方向中心の高さ位置が、取手３の上下方向中心の高さ位置と同じになる。これにより、少なくとも操作部５（操作体５２）が下側位置にあるときに、一般的な体格の成人が操作部５に親指を載せた状態で、取手３の凹部３１に他の指が掛かるものとなっている。なお、このように、操作部５に親指を載せた状態で、取手３の凹部３１に他の指を掛けられるようにするためには、操作部５の左側（障子１側）の端部から、取手３の凹部３１の左側の見込面までの距離（図１のＤ）が、３５〜５０ｍｍであることが望ましい。そして、基部５１が縦枠２の内部においてデッドボルト４１と接続されており（接続機構は図示省略）、操作部５（操作体５２）を動かして上側位置にすると（図１の実線）、錠４のデッドボルト４１が縦枠２の戸当面から突出して施錠状態となり、下側位置にすると（図１の二点鎖線）、錠４のデッドボルト４１が縦枠２の戸当面に没入して解錠状態となる。
【００１４】
次に、この操作部５及び取手３を操作して障子１を開ける場合の動作について説明する。当初、障子１が閉じられ、操作部５（操作体５２）が上側位置にあって錠４により施錠された状態であるとする。この状態から障子１を開けるには、まず、図３（ａ）に示すように、右手の親指Ｔの腹を、操作部５に上側から当接させる。次に、図３（ｂ）に示すように、操作部５に掛けた親指Ｔにより操作部５（操作体５２）を押し下げて、錠４を解錠する。次に、図３（ｃ）に示すように、操作部５に親指Ｔの腹を載せた状態で、取手３の凹部３１に他の指Ｆを掛ける。そして、そのまま他の指Ｆで障子１を左側に摺動させて開く。
【００１５】
また、このように右手のみで錠４の解錠操作と障子１の開操作を行うのではなく、両手で操作してもよい。その場合は、右手の何れかの指を操作部５に上側から当接させ、操作部５（操作体５２）を押し下げて錠４を解錠し、左手の何れかの指を取手３の凹部３１に掛けて、障子１を左側に摺動させて開く。
【００１６】
このように構成した本発明の建具によれば、錠４の操作部５を障子１ではなく縦枠２に設けてあるので、障子１の戸先框１１には取手３のみを設ければよく、戸先框１１の見付幅を細くすることができる。そして、錠４の操作部５が、障子１側に向けて、取手３の室内側に近接しており、また少なくとも操作部５が下側位置にあるとき、すなわち錠４の解錠時に、一般的な体格の成人が操作部５に親指Ｔを載せた状態で、取手３の凹部３１に他の指Ｆが掛かるものとなっているので、障子１を開く際、片手での操作、すなわち一方の手で錠４の操作部５を下げて解錠し、そのまま同じ手を取手３に掛けて障子１を開く操作が容易である。また、錠４の操作部５が、障子１側に向けて、取手３の室内側に近接しているので、障子１を開く際、両手での操作、すなわち一方の手で錠４の操作部５を下げて解錠し、他方の手を取手３に掛けて障子１を開く操作も容易である。
【００１７】
本発明は、上記の実施形態に限定されない。たとえば、本発明の建具は、玄関引戸以外の種々の用途にも用いられるものであり、障子は引き違いのほか、片引き、引き分けなどであってもよいし、テラスやガーデンルームなどに設けられる、複数枚のパネル体を伸縮自在に連結したルーバー引戸であってもよい。また、錠は、障子の移動を規制するものであればよく、障子と縦枠を直接連結して施錠するものに限られない。たとえば、障子が上記のルーバー引戸であって、障子と縦枠の間に、限られた範囲だけ障子の開閉方向に移動可能であって障子と結合・分離可能な可動枠を備え、可動枠を障子と結合させて移動させることで、ルーバー引戸がある程度開いて防犯性を確保しつつ通気が可能となり、可動枠を障子と分離させることで、障子が開閉自在となる建具において、縦枠と可動枠を連結して施錠するための錠であってもよい。この場合の錠は、障子（ルーバー引戸）と縦枠を直接連結して施錠するものではないが、可動枠を介して障子の移動を規制するものであり、これも本発明の建具の錠に相当し、この建具も本発明に含まれる。さらに、取手や操作部の形状は、指を掛けて操作することができるものであれば、どのようなものであってもよい。
【符号の説明】
【００１８】
１  障子
２  縦枠
３  取手
４  錠
５  操作部
【図１】
2018204275.tif 000003
【図２】
2018204275.tif 000004
【図３】
2018204275.tif 000005
【図４】
2018204275.tif 000006